(57)【要約】【課題】面間寸法を短くし、小型・軽量化を図る。【解決手段】ダンパ２、モータ３および風量計４をダクト１内に同軸上に一体化して配置する。ダンパ２をラディアルダンパとし、モータ３の回転軸３ａの回転によって、扇状に重ね合わされた複数のブレードＢを順次繰り出したり、順次折り畳むようにして、ダンパ２の開度を調整する。【選択図】  図１
2019035536.tif 000002
【特許請求の範囲】
【請求項１】
通風路内に設置されるダンパと、このダンパの開度を調整するモータと、前記通風路を通過する空気の風量を計測する風量計とを備え、前記通風路を通過する空気の風量を調整する風量調整ユニットにおいて、
前記ダンパ、前記モータおよび前記風量計は、
前記通風路内にこの通風路を通過する空気の通過方向に沿って同軸上に配置され、
前記ダンパは、
前記通風路を通過する空気の通過方向にその板面を直交して配置されるプレートを備え、
前記モータは、
前記ダンパの開度として前記プレートの板面の面積を調整する
ことを特徴とする風量調整ユニット。
【請求項２】
請求項１に記載された風量調整ユニットにおいて、
前記プレートは、
扇状に重ね合わされた複数のブレードから構成され、
前記モータは、
前記複数のブレードの重ね合わされた量を調整する
ことを特徴とする風量調整ユニット。
【請求項３】
請求項２に記載された風量調整ユニットにおいて、
前記ブレードは、
前記モータの回転軸を中心として軸対象に位置する第１のブレード面と第２のブレード面とを備えている
ことを特徴とする風量調整ユニット。
【請求項４】
請求項１〜３の何れか１項に記載された風量調整ユニットにおいて、
前記風量計は、
羽根車である
ことを特徴とする風量調整ユニット。
【請求項５】
請求項４に記載された風量調整ユニットにおいて、
前記風量計は、
前記ダンパの上流側に配置されている
ことを特徴とする風量調整ユニット。
【請求項６】
請求項１〜５の何れか１項に記載された風量調整ユニットにおいて、
前記通風路は、
丸ダクトである
ことを特徴とする風量調整ユニット。
【請求項７】
請求項１〜５の何れか１項に記載された風量調整ユニットにおいて、
前記通風路は、
長方形のダクトであり、
前記ダンパは、
前記長方形のダクトの内部に設けられた仕切板の開口に配置されている
ことを特徴とする風量調整ユニット。
【発明の詳細な説明】
【技術分野】
【０００１】
本発明は、通風路を通過する空気の風量を調整する風量調整ユニットに関する。  
【背景技術】
【０００２】
従来より、大規模な構築物において、空調機より給気ダクトを介して各部へ給気の供給を行う場合、各空調対象部位（被制御エリア）の給気吹出口毎に風量調整ユニットとしてＶＡＶ（Variable Air Volume）ユニットを設け、このＶＡＶユニットからの給気吹出量をＶＡＶコントロールユニットにより被制御エリアの負荷状況に応じて制御するようにしている（例えば、特許文献１，２参照）。
【０００３】
図６に従来のＶＡＶユニットの要部の構成を示す。このＶＡＶユニット１００は、ダクト（通風路）１０１と、ダクト１０１内に設置されるダンパ１０２と、このダンパ１０２の開度を調整するモータ１０３と、ダクト１０１を通過する空気の風量を計測する風量計１０４と、十字型の整流格子１０５とを備えている。
【０００４】
このＶＡＶユニット１００において、ダンパ１０２はバタフライ型のダンパとされている。すなわち、ダクト１０１を通過する空気の通過方向をＦとした場合、この空気の通過方向Ｆに対して前後方向に回動自在に円板状のダンパ１０２が設けられている。モータ１０３は、ダクト１０１の外側に設けられており、ダンパ１０２の前後方向への角度（開度）を調整する。
【０００５】
図６において、２００はＶＡＶユニット１００に対して設けられたＶＡＶコントロールユニットである。ＶＡＶコントロールユニット２００は、風量計１０４によって計測されるダクト１０１を通過する空気の風量Ｑｐｖと要求風量Ｑｓｐとが一致するように、モータ１０３を駆動して、ダンパ１０２の開度を調整する。
【先行技術文献】
【特許文献】
【０００６】
【特許文献１】特開平８−２７１０２７号公報
【特許文献２】特開２０１３−１０４５７８号公報
【非特許文献】
【０００７】
【非特許文献１】「Radial Damper」、〔平成２９年８月１日検索〕、インターネット＜http://metairtech.com/products/individual-comfort-control-systems/＞
【発明の概要】
【発明が解決しようとする課題】
【０００８】
しかしながら、このようなＶＡＶユニット１００によると、ダクト１０１の径をＤとした場合、面間寸法（長さ）が２Ｄと長く重くなる。このため、現状では、ＶＡＶユニット１００を天井で吊っている。
【０００９】
このＶＡＶユニット１００において、長さを短くすることができない理由として、図７に示すように、ダンパ１０２の開閉スペース（ダンパ開閉スペース）Ｓ１と、風量計１０４の測定スペース（風量測定スペース）Ｓ２が必要なことが挙げられる。
【００１０】
本発明は、このような課題を解決するためになされたもので、その目的とするところは、面間寸法を短くし、小型・軽量化を図ることが可能な風量調整ユニットを提供することにある。
【課題を解決するための手段】
【００１１】
このような目的を達成するために本発明は、通風路（１）内に設置されるダンパ（２）と、このダンパの開度を調整するモータ（３）と、通風路を通過する空気の風量を計測する風量計（４）とを備え、通風路を通過する空気の風量を調整する風量調整ユニット（１０）において、ダンパ、モータおよび風量計は、通風路内にこの通風路を通過する空気の通過方向に沿って同軸上に配置され、ダンパは、通風路を通過する空気の通過方向にその板面を直交して配置されるプレート（Ｐ）を備え、モータは、ダンパの開度としてプレートの板面の面積を調整することを特徴とする。
【００１２】
この発明において、ダンパ、モータおよび風量計は、通風路内に空気の通過方向に沿って同軸上に配置されている。ダンパは、通風路を通過する空気の通過方向にその板面を直交して配置されるプレートを備えており、モータは、このプレートの板面の面積をダンパの開度として調整する。
【００１３】
例えば、プレートを扇状に重ね合わされた複数のブレードから構成し、この複数のブレードの重ね合わされた量をモータによって調整する。すなわち、扇状に重ね合わされたブレードを順次繰り出したり、順次折り畳むようにして、プレートの板面の面積をダンパの開度として調整する。
【００１４】
本発明では、プレートの板面の面積をダンパの開度として調整するので、ダンパの前後スペースをほとんど必要としない。これにより、面間寸法を短くし、小型・軽量化を図ることが可能となる。
【００１５】
なお、上記説明では、一例として、発明の構成要素に対応する図面上の構成要素を、括弧を付した参照符号によって示している。
【発明の効果】
【００１６】
以上説明したように、本発明によれば、通風路内にダンパ、モータおよび風量計を同軸上に配置し、通風路を通過する空気の通過方向に直交して配置されたプレートの板面の面積をダンパの開度として調整するようにしたので、ダンパの前後スペースをほとんど必要とせず、面間寸法を短くし、小型・軽量化を図ることが可能となる。
【図面の簡単な説明】
【００１７】
【図１】図１は、本発明の実施の形態に係る風量調整ユニット（ＶＡＶユニット）の要部の構成を示す図である。
【図２】図２は、このＶＡＶユニットのダクト内の構成を上流側から見た図である。
【図３】図３は、このＶＡＶユニットのダクト内の構成を下流側から見た図である。
【図４】図４は、ダクトを長方形のダクトとした例を示す図である。
【図５】図５は、吹出口のネックにＶＡＶユニットを設置した例を示す図である。
【図６】図６は、従来のＶＡＶユニットの要部の構成を示す図である。
【図７】図７は、従来のＶＡＶユニットにおいて必要なスペースを示す図である。
【発明を実施するための形態】
【００１８】
以下、本発明の実施の形態を図面に基づいて詳細に説明する。図１に、本発明の実施の形態に係る風量調整ユニット（ＶＡＶユニット）１０の要部の構成を示す。
【００１９】
このＶＡＶユニット１０は、ダクト（通風路）１と、ダクト１内に設置されるダンパ２と、このダンパ２の開度を調整するモータ３と、ダクト１を通過する空気の風量を計測する風量計４とを備えている。
【００２０】
このＶＡＶユニット１０において、ダンパ２、モータ３および風量計４は、ダクト１内にこのダクト１を通過する空気の通過方向Ｆに沿って同軸上に配置されている。図１では、ダンパ２、モータ３および風量計４の配置関係が分かるように、ダクト１を透過して内部を示している。
【００２１】
図２に、このＶＡＶユニット１０のダクト１内の構成を上流側から見た図を示す。図３に、このＶＡＶユニット１０のダクト１内の構成を下流側から見た図を示す。
【００２２】
このＶＡＶユニット１０において、ダンパ２はダクト１を通過する空気の通過方向Ｆにその板面を直交して配置されるプレートＰを備え、プレートＰは扇状に重ね合わされた複数のブレードＢから構成されている。ブレードＢは、モータ３の回転軸３ａを中心として軸対象に位置する、扇形の第１のブレード面Ｂ１と第２のブレード面Ｂ２とを備えている。
【００２３】
プレートＰの最下層のブレードＢには、その裏面側に断面「コ」字状の金具５の脚部５ｂ，５ｂが接合されており、この金具５の台座面５ａにモータ３がその回転軸３ａを通して固定されている。モータ３の回転軸３ａは、ダンパ２のプレートＰの中心部、すなわち扇状に重ね合わされた複数のブレードＢの中心部に連結されている。
【００２４】
このダンパ２は、ラディアルダンパ（Radial Damper）と呼ばれ（非特許文献１参照）、モータ３の回転軸３ａの回転によって、ブレードＢを順次繰り出したり、順次折り畳んだりして、プレートＰの板面の面積を調整するように構成されたダンパである。図１〜図３には、ブレードＢが数枚繰り出された状態を示している。なお、この例では、各ブレードＢの外周にシール材をはり、ダンパとしての気密性を高めている。
【００２５】
このＶＡＶユニット１０において、風量計４は、ダンパ２の上流側に配置されている。本実施の形態では、風量計４として羽根車が用いられており、ダンパ２のプレートＰの中心部にモータ３の回転軸３ａとは切り離した状態で軸支されている。すなわち、本実施の形態において、ダンパ２とモータ３と風量計４とは、ダクト１を通過する空気の通過方向に沿って同軸上に一体化されている。
【００２６】
図１において、２０はＶＡＶユニット１０に対して設けられたＶＡＶコントロールユニットである。ＶＡＶコントロールユニット２０は、風量計４によって計測されるダクト１を通過する空気の風量Ｑｐｖと要求風量Ｑｓｐとが一致するように、モータ３を駆動して、ダンパ２の開度を調整する。すなわち、モータ３の回転軸３ａを回転させ、ブレードＢを順次繰り出したり、順次折り畳んだりして、プレートＰの板面の面積をダンパ２の開度として調整する。
【００２７】
このＶＡＶユニット１０では、プレートＰの板面の面積をダンパ２の開度として調整するので、ダンパ２の前後スペースをほとんど必要としない。これにより、面間寸法を短くし、従来と比較して、大幅な小型・軽量化を図り、天井吊りをなくしたり、吹出口に組み込んだりすることが可能となる。
【００２８】
また、このＶＡＶユニット１０では、モータ３の回転軸３ａを中心としてブレードＢの第１のブレード面Ｂ１と第２のブレード面Ｂ２とを軸対象に配置しているので、流れの偏りが少なく、流れの乱れを小さく抑えることが可能となる。
【００２９】
また、このＶＡＶユニット１０では、ラディアルダンパの特徴として旋回流や断面方向の流れが軽減されるので、風量計（羽根車）４の横風が抑えられるものとなる。このため、風量計４の前後のスペース（風量測定スペース）を減らすことができる。また、直線流が形成され易く、風量計４が円滑に回り易いものとなる。
【００３０】
また、このＶＡＶユニット１０では、ダンパ２とモータ３と風量計４とが同軸上に一体化されているので、組み立てや施工の手間を省くことが可能となる。
【００３１】
なお、図１に示した例では、ダクト１を丸ダクトとしているが、図４に示すように長方形のダクトであってもよい。図４に示した例では、長方形のダクト１の内部に仕切板６を設け、この仕切板６の円形の開口６ａにダンパ２を配置している。
【００３２】
また、図５に示すように、ＶＡＶユニット１０を吹出口のネック７に設置し、吹出口毎に風量制御機能を持たせるようにしてもよい。
【００３３】
また、上述した実施の形態では、ダクト１を含めた構成をＶＡＶユニットとしたが、同軸上に一体化されたダンパ２とモータ３と風量計４とからなる構成をＶＡＶユニットとしてもよい。すなわち、ダクト１を含めた構成をＶＡＶユニットとして提供してもよく、ダクト１を含まない構成をＶＡＶユニットとして提供し、ユーザ側で所望のダクト内に設置するようにしてもよい。
【００３４】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００３５】
１…ダクト、２…ダンパ、Ｐ…プレート、、Ｂ…ブレード、Ｂ１…第１のブレード面、Ｂ２…第２のブレード面、３…モータ、３ａ…回転軸、４…風量計、５…金具、６…仕切板、６ａ…開口、１０…風量調整ユニット（ＶＡＶユニット）、２０…ＶＡＶコントロールユニット。
【図１】
2019035536.tif 000003
【図２】
2019035536.tif 000004
【図３】
2019035536.tif 000005
【図４】
2019035536.tif 000006
【図５】
2019035536.tif 000007
【図６】
2019035536.tif 000008
【図７】
2019035536.tif 000009